(57)【要約】【課題】  ノズル本体内の残水及び噴射穴からの後垂れを素早く処理するようにした食器洗浄機用上側噴射ノズルを提供する。【解決手段】  この食器洗浄機用上側噴射ノズル１２において、ノズル本体３２の内部には、洗浄後又は濯ぎ後にノズル本体３２内に残った水を噴射穴３３ａ，３４ａに導くように延在する樋部３７が設けられることで、食器洗浄終了時点において、ノズル本体３２内の残水を噴射穴３３ａ，３４ａから積極的に排出することができ、食器洗浄機のドア開閉時やラック引出し時の衝撃で、食器に残水が落下する事態を抑制することができる。また、洗浄工程から濯ぎ工程に移行するに際し、噴射穴３３ａ，３４ａからの後垂れ時間が短くなるので、移行時間の短縮やすすぎ性能の向上を図ることができる。【選択図】  図３
2006296884.tif 000002
【特許請求の範囲】
【請求項１】
洗浄室内の上部に配置されて、前記洗浄室内でノズル本体から下に向けて水を噴射する食器洗浄機用上側噴射ノズルにおいて、
前記ノズル本体には複数の噴射穴が設けられ、前記ノズル本体の内部には、前記ノズル本体内の残水を前記噴射穴に導くように長手方向に延在する樋部が設けられていることを特徴とする食器洗浄機用上側噴射ノズル。
【請求項２】
前記樋部の底面は、前記噴射穴に向けて下るように傾斜することを特徴とする請求項１記載の食器洗浄機用上側噴射ノズル。
【発明の詳細な説明】
【技術分野】
【０００１】
本発明は、洗浄室内で上から下に向けて水を噴射する食器洗浄機用上側噴射ノズルに関するものである。
【背景技術】
【０００２】
従来、このような分野の技術として、特開２００３−１５３８４３号公報がある。この公報に記載された上側洗浄ノズルは、円筒状のボス部から径方向に延在する３本のノズル本体を有している。各ノズル本体には、長手方向に連続して延在する凹所が設けられ、凹所の幅方向における中央には突出部位が設けられ、突出部位の先端には、噴射穴（ノズル穴）が形成されている。このような形状のノズル本体は、食器洗浄終了時点の後垂れの発生を大きく抑制するものである。
【０００３】
【特許文献１】特開２００３−１５３８４３号公報
【特許文献２】特開平７−３１５７６号公報
【発明の開示】
【発明が解決しようとする課題】
【０００４】
しかしながら、ノズル本体に設けられた凹所によって後垂れを素早く処理することができるが、幅方向において凹所の両側は、溝状で長手方向に延在し、各溝部は噴射穴に連通していないので、食器洗浄終了時点において、各溝部内に水が残り、この残水は、食器洗浄機のドア開閉時やラック引出し時の衝撃で、食器に落下する虞がある。また、噴射ノズルが洗浄専用として利用される場合、洗剤分を含んだ洗浄水がノズル本体内に残ってしまう。また、洗浄工程から濯ぎ工程に移行するに際し、後垂れ時間が長ければ長い程、すすぎ性能に影響を与えてしまう。
【０００５】
本発明は、ノズル本体内の残水及び噴射穴からの後垂れを素早く処理するようにした食器洗浄機用上側噴射ノズルを提供することを目的とする。
【課題を解決するための手段】
【０００６】
本発明に係る食器洗浄機用上側噴射ノズルは、洗浄室内の上部に配置されて、洗浄室内でノズル本体から下に向けて水を噴射する食器洗浄機用上側噴射ノズルにおいて、ノズル本体には複数の噴射穴が設けられ、ノズル本体の内部には、ノズル本体内の残水を噴射穴に導くように長手方向に延在する樋部が設けられていることを特徴とする。
【０００７】
この食器洗浄機用上側噴射ノズルにおいて、ノズル本体の内部には、洗浄後又は濯ぎ後にノズル本体内に残った水を噴射穴に導くように延在する樋部が設けられることで、食器洗浄終了時点において、ノズル本体内の残水を噴射穴から積極的に排出することができ、食器洗浄機のドア開閉時やラック引出し時の衝撃などで、食器に残水が落下する事態を抑制することができる。また、洗浄工程から濯ぎ工程に移行するに際し、噴射穴からの後垂れ時間が短くなるので、移行時間の短縮やすすぎ性能の向上を図ることができる。
【０００８】
また、樋部の底面は、噴射穴に向けて下るように傾斜すると好適である。このような構成によって、ノズル本体内の残水及び噴射穴からの後垂れの処理を促進させることができる。
【発明の効果】
【０００９】
本発明によれば、ノズル本体内の残水及び噴射穴からの後垂れを素早く処理することができる。
【発明を実施するための最良の形態】
【００１０】
以下、図面を参照しつつ本発明に係る洗浄機用上側噴射ノズルの好適な実施形態について詳細に説明する。
【００１１】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られている。さらに、洗浄機本体２の背面側におけるコーナ部には、上側部分２ａと下側部分２ｂとに渡って上下方向に延びる支柱６が配置され、支柱６，６間には背面パネル５が延在している。
【００１２】
また、洗浄機本体２の上側部分２ａには、洗浄室３の開閉を行うための箱型のドア７が設けられている。このドア７は、左右一対のステンレス製支柱６よりも内側に配置された左右一対のガイドレール（図示せず）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させる必要があるので、回動アーム１０には、ドア７の側面７ａに沿って配置されたリンク部１６の上端が回動自在に連結され、リンク部１６の下端は、軸ピン１６ａを介してドア７に連結されている。なお、洗浄機本体２の底面の四隅には脚部９が取り付けられており、食器洗浄機１の安定した設置が可能となっている。
【００１３】
上述した洗浄室３内には、跳ね上げ式のラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する回転自在な上側洗浄ノズル１２と、一直線状に延びる２本のアームを有する回転自在な上側濯ぎノズル１３とが同心的に配置されている。同様に、洗浄室３内の下部には、回転自在な下側洗浄ノズル１４と下側濯ぎノズル１５とが同心的に配置されている。
【００１４】
このような構成を有する洗浄室３の底部には、機械室４内に突出するように洗浄水タンク１７が形成されており、洗浄室３と洗浄水タンク１７との間には、残菜フィルタ１８が着脱自在に配置されている。この洗浄水タンク１７の前面には、洗浄水タンク１７内に吸込口及び吐出口が位置するような洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄タンク１７内及び洗浄室３内を通って、上側洗浄ノズル１２と下側洗浄ノズル１４とに接続されている。
【００１５】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、縦置き状態で設置されており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１６】
ここで、前述した食器洗浄機１に適用される上側洗浄ノズル（上側噴射ノズル）１２は、洗浄水流通管２１の先端に回転自在に装着された樹脂製のボス部３０と、ボス部３０から放射状に延在する３本のステンレス製ノズル本体３２とから構成されている。また、ネジ３１（図６参照）によって、各ノズル本体３２の基端はボス部３０に着脱自在に取り付けられている。
【００１７】
図３〜図５に示すように、ノズル本体３２は扁平な円筒状に形成されることで、省スペース化が図られ、洗浄室３を広く使うことができる。このノズル本体３２には、外方に向けて山形に膨出した２個の突出部３３，３４が設けられ、各突出部３３，３４の頂部には噴射穴３３ａ，３４ａが設けられている。従って、突出部３３，３４の頂部に噴射穴３３ａ，３４ａを設けることで、洗浄水を噴射穴３３ａ，３４ａに確実に導くことができ、このことは、残水の切れを良くする効果もある。さらに、突出部３３と突出部３４との間には、ノズル本体３２の中央で長手方向に延在する凹部３６が設けられている。
【００１８】
図６及び図７に示すように、このような凹部３６によって、ノズル本体３２の内部における両側部には、ノズル本体３２内の残水を噴射穴３３ａ，３４ａに導くように長手方向に延在する２本の平行な樋部３７が設けられている。さらに、図６〜図８に示すように、各樋部３７の底面３７ａは、樋部３７の長手中央から各突出部３３，３４の噴射穴３３ａ，３４ａに向けて下るように傾斜する。このような傾斜は、噴射穴３３ａ，３４ａ間を弓なりに形成することで達成され、残水の流速を加速させることができる。さらに、樋部３７には、凸部３６による斜面が形成される。
【００１９】
このような２本の樋部３７，３７により、洗浄工程終了時点において、ノズル本体３２内の残水を、二つに分流しながら噴射穴３３ａ，３４ａから積極的に排出することができ、食器洗浄機１のドア開閉時やラック引出し時の衝撃で、食器に残水が落下する事態を抑制することができる。また、洗浄工程から濯ぎ工程に移行するに際し、噴射穴３３ａ，３４ａからの後垂れ時間が短くなるので、移行時間の短縮やすすぎ性能の向上を図ることができる。さらに、噴射穴３３ａと噴射穴３４ａとの間の流路Ａの断面積は、ノズル本体３２の基端と噴射穴３４ａとの間の流路Ｂの断面積より小さくなっているので、流路Ａでの残水量が少なくなり、後垂れ時間の短縮化が図られる。
【００２０】
なお、ノズル本体３２のこのような形状は、ステンレスのプレス成形によって作り出されるので、複数の部品の組み合わせで製作されるノズル本体に比べて、構造がシンプルで、清掃性も良く安価である。
【００２１】
本発明は、前述した実施形態に限定されないことは言うまでもない。例えば、図９に示すように、ノズル本体４２には、ノズル本体４２の内部下側において、その中央には、ノズル本体４２内の残水を噴射穴３３ａ，３４ａに導くように長手方向に延在する１本の樋部４３が設けられている。
【００２２】
また、図１０に示すように、ノズル本体５２には、突出部３３と突出部３４との間において長手方向に延在する平行な３本の凹部５１が設けられている。そして、ノズル本体５２の内部には、ノズル本体５２内の残水を噴射穴３３ａ，３４ａに導くように長手方向に延在する４本の平行な樋部５３が設けられている。
【００２３】
また、図示しないが、ノズル本体３２，４２，５２の基端と噴射穴３４ａとの間の流路Ｂに樋部３７，４３，５３を設けてもよく、ノズル本体３２，４２，５２の基端と噴射穴３４ａとの間の流路Ｂの底面を、突出部３４に向けて下るように傾斜させてもよい。
【００２４】
なお、噴射ノズルの他の例である濯ぎノズル１３に前述した樋部３７，４３，５３を適用してもよい。
【図面の簡単な説明】
【００２５】
【図１】本発明に係る上側噴射ノズルが適用される食器洗浄機の一実施形態を示す斜視図である。
【図２】図１に示した食器洗浄機の断面図である。
【図３】本発明に係る上側噴射ノズルのノズル本体を示す斜視図である。
【図４】ノズル本体の底面図である。
【図５】図４のＶ−Ｖ線に沿う断面図である。
【図６】ノズル本体を樋部に沿って切り欠いた部分断面図である。
【図７】図６のＶII−ＶII線に沿う断面図である。
【図８】ノズル本体を凹部に沿って切り欠いた部分断面図である。
【図９】上側噴射ノズルの他の実施形態を示す断面図である。
【図１０】上側噴射ノズルのさらに他の実施形態を示す断面図である。
【符号の説明】
【００２６】
１…食器洗浄機、３…洗浄室、１２…上側洗浄ノズル（上側噴射ノズル）、３２，４２，５２…ノズル本体、３３ａ，３４ａ…噴射穴、３７，４３，５３…樋部、３７ａ…樋部の底面。
【図１】
2006296884.tif 000003
【図２】
2006296884.tif 000004
【図３】
2006296884.tif 000005
【図４】
2006296884.tif 000006
【図５】
2006296884.tif 000007
【図６】
2006296884.tif 000008
【図７】
2006296884.tif 000009
【図８】
2006296884.tif 000010
【図９】
2006296884.tif 000011
【図１０】
2006296884.tif 000012